(57)【要約】【課題】ユーザ操作の負担にならずにセキュリティ機能を維持することができる画像処理装置を提供する。【解決手段】ＭＦＰは、読取られた原稿の画像を取得すると、その中に埋め込まれたコピーを許可する条件である、画像が読取られる状態の情報（原稿の向きなど）、または複写に対するパラメータの設定（倍率など）を取得する。画像が読取られた状態、または画像の複写に対する設定が、画像内に埋め込まれた許可条件と一致するときにのみ、コピーが許可される。【選択図】図６
2008206196.tif 000002
【特許請求の範囲】
【請求項１】
読取られた原稿の画像を取得する取得手段と、
前記読取られた画像内に、複写禁止パターンがあるか否かを判別する第１のパターン判別手段と、
前記読取られた画像内の、許可条件を判別する第２のパターン判別手段と、
前記画像が読取られた状態を検出する検出手段と、
前記読取られた画像内に第１のパターン判別手段により複写禁止パターンがあると判別された場合において、前記検出手段による検出が、前記読取られた画像内の第２のパターン判別手段により判別された許可条件と一致するときにのみ、装置の動作の少なくとも一部を許可する制御手段とを備えた、画像処理装置。
【請求項２】
読取られた原稿の画像を取得する取得手段と、
前記読取られた画像内に、複写禁止パターンがあるか否かを判別する第１のパターン判別手段と、
前記読取られた画像内の、許可条件を判別する第２のパターン判別手段と、
前記画像の複写に対するパラメータの設定を検出する検出手段と、
前記読取られた画像内に第１のパターン判別手段により複写禁止パターンがあると判別された場合において、前記検出手段による検出が、前記読取られた画像内の第２のパターン判別手段により判別された許可条件と一致するときにのみ、装置の動作の少なくとも一部を許可する制御手段とを備えた、画像処理装置。
【請求項３】
前記読取られた画像をプリントするプリント手段をさらに備え、
前記制御手段は、前記プリント手段によるプリントを許可または禁止する、請求項１または２に記載の画像処理装置。
【請求項４】
画像データを格納するための画像メモリと、
画像処理装置における前記画像データの処理を許可する条件である、画像が読取られる状態を設定するための許可条件設定部と、
前記許可条件および複写禁止の情報を、原稿読取時に検出可能なパターンへと変換するパターン変換部と、
前記画像データと前記パターンとを合成した画像を生成するパターン合成部と、
前記パターン合成部での合成画像をプリントする画像出力部とを備えた、画像処理装置。
【請求項５】
画像データを格納するための画像メモリと、
画像処理装置における前記画像データの処理を許可する条件である、複写に対するパラメータの設定を設定するための許可条件設定部と、
前記許可条件および複写禁止の情報を、原稿読取時に検出可能なパターンへと変換するパターン変換部と、
前記画像データと前記パターンとを合成した画像を生成するパターン合成部と、
前記パターン合成部での合成画像をプリントする画像出力部とを備えた、画像処理装置。
【請求項６】
読取られた原稿の画像を取得する取得ステップと、
前記読取られた画像内に、複写禁止パターンがあるか否かを判別する第１のパターン判別ステップと、
前記読取られた画像内の、許可条件を判別する第２のパターン判別ステップと、
前記画像が読取られた状態を検出する検出ステップと、
前記読取られた画像内に第１のパターン判別ステップにより複写禁止パターンがあると判別された場合において、前記検出ステップによる検出が、前記読取られた画像内の第２のパターン判別ステップにより判別された許可条件と一致するときにのみ、装置の動作の少なくとも一部を許可する制御ステップとを備えた、画像処理方法。
【請求項７】
読取られた原稿の画像を取得する取得ステップと、
前記読取られた画像内に、複写禁止パターンがあるか否かを判別する第１のパターン判別ステップと、
前記読取られた画像内の、許可条件を判別する第２のパターン判別ステップと、
前記画像の複写に対するパラメータの設定を検出する検出ステップと、
前記読取られた画像内に第１のパターン判別ステップにより複写禁止パターンがあると判別された場合において、前記検出ステップによる検出が、前記読取られた画像内の第２のパターン判別ステップにより判別された許可条件と一致するときにのみ、装置の動作の少なくとも一部を許可する制御ステップとを備えた、画像処理方法。
【請求項８】
画像データを格納する画像格納ステップと、
画像処理装置における前記画像データの処理を許可する条件である、画像が読取られる状態を設定するための許可条件設定ステップと、
前記許可条件および複写禁止の情報を、原稿読取時に検出可能なパターンへと変換するパターン変換ステップと、
前記画像データと前記パターンとを合成した画像を生成するパターン合成ステップと、
前記パターン合成ステップでの合成画像をプリントする画像出力ステップとを備えた、画像処理方法。
【請求項９】
画像データを格納する画像格納ステップと、
画像処理装置における前記画像データの処理を許可する条件である、複写に対するパラメータの設定を設定するための許可条件設定ステップと、
前記許可条件および複写禁止の情報を、原稿読取時に検出可能なパターンへと変換するパターン変換ステップと、
前記画像データと前記パターンとを合成した画像を生成するパターン合成ステップと、
前記パターン合成ステップでの合成画像をプリントする画像出力ステップとを備えた、画像処理方法。
【請求項１０】
読取られた原稿の画像を取得する取得ステップと、
前記読取られた画像内に、複写禁止パターンがあるか否かを判別する第１のパターン判別ステップと、
前記読取られた画像内の、許可条件を判別する第２のパターン判別ステップと、
前記画像が読取られた状態を検出する検出ステップと、
前記読取られた画像内に第１のパターン判別ステップにより複写禁止パターンがあると判別された場合において、前記検出ステップによる検出が、前記読取られた画像内の第２のパターン判別ステップにより判別された許可条件と一致するときにのみ、装置の動作の少なくとも一部を許可する制御ステップとをコンピュータに実行させる、画像処理プログラム。
【請求項１１】
読取られた原稿の画像を取得する取得ステップと、
前記読取られた画像内に、複写禁止パターンがあるか否かを判別する第１のパターン判別ステップと、
前記読取られた画像内の、許可条件を判別する第２のパターン判別ステップと、
前記画像の複写に対するパラメータの設定を検出する検出ステップと、
前記読取られた画像内に第１のパターン判別ステップにより複写禁止パターンがあると判別された場合において、前記検出ステップによる検出が、前記読取られた画像内の第２のパターン判別ステップにより判別された許可条件と一致するときにのみ、装置の動作の少なくとも一部を許可する制御ステップとをコンピュータに実行させる、画像処理プログラム。
【請求項１２】
画像データを格納する画像格納ステップと、
画像処理装置における前記画像データの処理を許可する条件である、画像が読取られる状態を設定するための許可条件設定ステップと、
前記許可条件および複写禁止の情報を、原稿読取時に検出可能なパターンへと変換するパターン変換ステップと、
前記画像データと前記パターンとを合成した画像を生成するパターン合成ステップと、
前記パターン合成ステップでの合成画像をプリントする画像出力ステップとをコンピュータに実行させる、画像処理プログラム。
【請求項１３】
画像データを格納する画像格納ステップと、
画像処理装置における前記画像データの処理を許可する条件である、複写に対するパラメータの設定を設定するための許可条件設定ステップと、
前記許可条件および複写禁止の情報を、原稿読取時に検出可能なパターンへと変換するパターン変換ステップと、
前記画像データと前記パターンとを合成した画像を生成するパターン合成ステップと、
前記パターン合成ステップでの合成画像をプリントする画像出力ステップとをコンピュータに実行させる、画像処理プログラム。
【発明の詳細な説明】
【技術分野】
【０００１】
この発明は画像処理装置、画像処理方法、および画像処理プログラムに関し、特にユーザ操作の負担にならずにセキュリティ機能を維持することができる画像処理装置、画像処理方法、および画像処理プログラムに関する。
【背景技術】
【０００２】
ＭＦＰ（Multi Function Peripheral）、複写機、プリンタなど画像形成装置の分野に
おいて、原稿の不正コピーを防止するセキュリティ機能の要望が高まっている。
【０００３】
セキュリティ機能を高める技術の１つとして、プリントアウト時に何らかのセキュリティ情報を原稿に埋め込み、コピー時にそのセキュリティ情報が読取られるとコピーを禁止するものがある。このように、読取り原稿内のコピー禁止情報を検出して、コピーを禁止する技術が知られている。
【０００４】
また、コピーを禁止する原稿である場合において、パスワードを入力する事でコピーを許可する技術が知られている。
【０００５】
下記特許文献１は、複写機において機密文書等の複写を管理する複写管理方法を開示している。この方法では、複写機において画像をデジタル的に読取る。複写機は、その内部に不揮発性メモリを持ち、複写操作時に、操作する人のパスワードあるいは識別番号（ＩＤ番号）、さらにこの文書の配布予定者の識別番号を要求する。
【０００６】
要求が満たされたとき、複写機は文書の読取りを開始する。複写機は、文書中に存在する特定のパターンからそのＩＤ番号を読取り、上記メモリ上に記憶してあるパスワードと文書ＩＤ番号と配布者のＩＤ番号の組を検索する。検索の結果、配布者ＩＤ番号と文書ＩＤ番号の双方がメモリ上に既に記憶されている場合には、信号を発信し、複写の機能を制限する。
【特許文献１】特開平７−４９６４５号公報
【発明の開示】
【発明が解決しようとする課題】
【０００７】
上記のように、コピーを許可する方法としては、操作パネルを使用してのパスワード入力等が考えられる。しかしながら、そのようにパスワードを入力させると、ユーザにとって操作が煩わしいという問題がある。
【０００８】
この発明は上記問題点を解決するためになされたものであり、ユーザ操作の負担にならずにセキュリティ機能を維持することができる画像処理装置、画像処理方法、および画像処理プログラムを提供することを目的としている。
【課題を解決するための手段】
【０００９】
上記目的を達成するためこの発明のある局面に従うと、画像処理装置は、読取られた原稿の画像を取得する取得手段と、読取られた画像内に、複写禁止パターンがあるか否かを判別する第１のパターン判別手段と、読取られた画像内の、許可条件を判別する第２のパターン判別手段と、画像が読取られた状態を検出する検出手段と、読取られた画像内に第１のパターン判別手段により複写禁止パターンがあると判別された場合において、検出手段による検出が、読取られた画像内の第２のパターン判別手段により判別された許可条件と一致するときにのみ、装置の動作の少なくとも一部を許可する制御手段とを備える。
【００１０】
この発明の他の局面に従うと、画像処理装置は、読取られた原稿の画像を取得する取得手段と、読取られた画像内に、複写禁止パターンがあるか否かを判別する第１のパターン判別手段と、読取られた画像内の、許可条件を判別する第２のパターン判別手段と、画像の複写に対するパラメータの設定を検出する検出手段と、読取られた画像内に第１のパターン判別手段により複写禁止パターンがあると判別された場合において、検出手段による検出が、読取られた画像内の第２のパターン判別手段により判別された許可条件と一致するときにのみ、装置の動作の少なくとも一部を許可する制御手段とを備える。
【００１１】
好ましくは、読取られた画像をプリントするプリント手段をさらに備え、制御手段は、プリント手段によるプリントを許可または禁止する。
【００１２】
この発明の他の局面に従うと、画像処理装置は、画像データを格納するための画像メモリと、画像処理装置における画像データの処理を許可する条件である、画像が読取られる状態を設定するための許可条件設定部と、許可条件および複写禁止の情報を、原稿読取時に検出可能なパターンへと変換するパターン変換部と、画像データとパターンとを合成した画像を生成するパターン合成部と、パターン合成部での合成画像をプリントする画像出力部とを備える。
【００１３】
この発明の他の局面に従うと、画像処理装置は、画像データを格納するための画像メモリと、画像処理装置における画像データの処理を許可する条件である、複写に対するパラメータの設定を設定するための許可条件設定部と、許可条件および複写禁止の情報を、原稿読取時に検出可能なパターンへと変換するパターン変換部と、画像データとパターンとを合成した画像を生成するパターン合成部と、パターン合成部での合成画像をプリントする画像出力部とを備える。
【００１４】
この発明の他の局面に従うと、画像処理方法は、読取られた原稿の画像を取得する取得ステップと、読取られた画像内に、複写禁止パターンがあるか否かを判別する第１のパターン判別ステップと、読取られた画像内の、許可条件を判別する第２のパターン判別ステップと、画像が読取られた状態を検出する検出ステップと、読取られた画像内に第１のパターン判別ステップにより複写禁止パターンがあると判別された場合において、検出ステップによる検出が、読取られた画像内の第２のパターン判別ステップにより判別された許可条件と一致するときにのみ、装置の動作の少なくとも一部を許可する制御ステップとを備える。
【００１５】
この発明の他の局面に従うと、画像処理方法は、読取られた原稿の画像を取得する取得ステップと、読取られた画像内に、複写禁止パターンがあるか否かを判別する第１のパターン判別ステップと、読取られた画像内の、許可条件を判別する第２のパターン判別ステップと、画像の複写に対するパラメータの設定を検出する検出ステップと、読取られた画像内に第１のパターン判別ステップにより複写禁止パターンがあると判別された場合において、検出ステップによる検出が、読取られた画像内の第２のパターン判別ステップにより判別された許可条件と一致するときにのみ、装置の動作の少なくとも一部を許可する制御ステップとを備える。
【００１６】
この発明の他の局面に従うと、画像処理方法は、画像データを格納する画像格納ステップと、画像処理装置における画像データの処理を許可する条件である、画像が読取られる状態を設定するための許可条件設定ステップと、許可条件および複写禁止の情報を、原稿読取時に検出可能なパターンへと変換するパターン変換ステップと、画像データとパターンとを合成した画像を生成するパターン合成ステップと、パターン合成ステップでの合成画像をプリントする画像出力ステップとを備える。
【００１７】
この発明の他の局面に従うと、画像処理方法は、画像データを格納する画像格納ステップと、画像処理装置における画像データの処理を許可する条件である、複写に対するパラメータの設定を設定するための許可条件設定ステップと、許可条件および複写禁止の情報を、原稿読取時に検出可能なパターンへと変換するパターン変換ステップと、画像データとパターンとを合成した画像を生成するパターン合成ステップと、パターン合成ステップでの合成画像をプリントする画像出力ステップとを備える。
【００１８】
この発明の他の局面に従うと、画像処理プログラムは、読取られた原稿の画像を取得する取得ステップと、読取られた画像内に、複写禁止パターンがあるか否かを判別する第１のパターン判別ステップと、読取られた画像内の、許可条件を判別する第２のパターン判別ステップと、画像が読取られた状態を検出する検出ステップと、読取られた画像内に第１のパターン判別ステップにより複写禁止パターンがあると判別された場合において、検出ステップによる検出が、読取られた画像内の第２のパターン判別ステップにより判別された許可条件と一致するときにのみ、装置の動作の少なくとも一部を許可する制御ステップとをコンピュータに実行させる。
【００１９】
この発明の他の局面に従うと、画像処理プログラムは、読取られた原稿の画像を取得する取得ステップと、読取られた画像内に、複写禁止パターンがあるか否かを判別する第１のパターン判別ステップと、読取られた画像内の、許可条件を判別する第２のパターン判別ステップと、画像の複写に対するパラメータの設定を検出する検出ステップと、読取られた画像内に第１のパターン判別ステップにより複写禁止パターンがあると判別された場合において、検出ステップによる検出が、読取られた画像内の第２のパターン判別ステップにより判別された許可条件と一致するときにのみ、装置の動作の少なくとも一部を許可する制御ステップとをコンピュータに実行させる。
【００２０】
この発明の他の局面に従うと、画像処理プログラムは、画像データを格納する画像格納ステップと、画像処理装置における画像データの処理を許可する条件である、画像が読取られる状態を設定するための許可条件設定ステップと、許可条件および複写禁止の情報を、原稿読取時に検出可能なパターンへと変換するパターン変換ステップと、画像データとパターンとを合成した画像を生成するパターン合成ステップと、パターン合成ステップでの合成画像をプリントする画像出力ステップとをコンピュータに実行させる。
【００２１】
この発明の他の局面に従うと、画像処理プログラムは、画像データを格納する画像格納ステップと、画像処理装置における画像データの処理を許可する条件である、複写に対するパラメータの設定を設定するための許可条件設定ステップと、許可条件および複写禁止の情報を、原稿読取時に検出可能なパターンへと変換するパターン変換ステップと、画像データとパターンとを合成した画像を生成するパターン合成ステップと、パターン合成ステップでの合成画像をプリントする画像出力ステップとをコンピュータに実行させる。
【発明の効果】
【００２２】
これら発明に従うと、画像が読取られた状態、または画像の複写に対するパラメータの設定の少なくとも一方を検出し、その検出結果に基づいて、装置の動作の少なくとも一部を許可または禁止することができる。これにより、ユーザ操作の負担にならずにセキュリティ機能を維持することができる画像処理装置、画像処理方法、および画像処理プログラムを提供することが可能となる。
【発明を実施するための最良の形態】
【００２３】
［第１の実施の形態］
図１は、本発明の第１の実施の形態における画像処理装置を含んだデジタル複写機（ＭＦＰ）の全体構成を示す図である。
【００２４】
図を参照して、複写機１は原稿を読取って画像信号に変換するための走査系１０、走査系１０から送られる画像信号を処理するための画像信号処理部２０、画像信号処理部２０から送信された画像データを記憶し、印字処理部４０に対して送信するためのメモリユニット部３０、メモリユニット部３０から送信された画像データに基づいて半導体レーザ６１を駆動するための印字処理部４０、半導体レーザ６１からのレーザ光を感光体ドラム７１上の露光位置に導くためのレーザ光学系６０、レーザ光によって感光体ドラム７１上に形成された潜像を現像し、記録紙上に画像を形成する作像系７０、複写機１の上面に設けられた不図示の操作パネル、および原稿を読取部２へ搬送し、読取完了後の原稿を読取位置から排出し必要に応じて表裏の反転を行なう原稿搬送部５００を含む。
【００２５】
なお、読取部２は、走査系１０および画像信号処理部２０を含み、プリント部３は印字処理部４０、レーザ光学系６０、および作像系７０を含む。
【００２６】
読取部２は、原稿ガラス１９上に読取面が下向きに載置された原稿の画像を読取り、その原稿の画像の各画素に対応する画像データを生成する。露光ランプ１２および第１ミラー１３ａを含む第１スキャナ１１と第２ミラー１３ｂおよび第３ミラー１３ｃを含む第２スキャナ１４とは、スキャンモータ１８の駆動により矢印ｂ，ｂ′方向（副走査方向）に移動される。露光ランプ１２の光は原稿ガラス１９上の原稿によって反射され、ミラー１３ａ，１３ｂ，１３ｃ、および集光レンズ１５を介してラインセンサ１６に照射される。ラインセンサ１６は、図１の紙面に直交する方向（主走査方向）に多数の光電変換素子をライン上に配置したものであり、たとえば、４００ｄｐｉで画像を読取り、各画素に対応する画像データを出力する。また、上述したように第１スキャナ１１と第２スキャナ１４とが矢印ｂ，ｂ′方向に移動することにより、ラインセンサ１６は原稿の画像を副走査することができる。センサ１７は、第１スキャナ１１がホームポジションにあることを検出するためのものである。
【００２７】
ラインセンサ１６から出力された画像データは、画像信号処理部２０で処理された後、
メモリユニット部３０へ送信される。メモリユニット部３０は、画像信号処理部２０から受信した画像データを圧縮して一旦記憶した後、プリントの際に圧縮された画像データに対して伸長処理を行なってプリント部３へ送信する。その際、必要に応じて回転編集処理等が施される。
【００２８】
プリント部３内の印字処理部４０は、メモリユニット部３０から受信した画像データに基づいてレーザ光学系６０を制御する。レーザ光学系６０は、印字処理部４０によって変調（オン／オフ）制御されるレーザビームを放射する半導体レーザ６１と、半導体レーザ６１から放射されたレーザビームを反射して感光体ドラム７１上を走査させるためのポリゴンミラー６２、ｆθレンズ６３、ミラー６４ａおよび６４ｂを含む。
【００２９】
回転駆動される感光体ドラム７１の周辺には、その回転方向に沿って、感光体を帯電させるための帯電チャージャ７２、露光によって形成された潜像を現像するための現像器７３、画像を記録紙上に転写するための転写チャージャ７４、記録紙を感光体ドラム７１から分離するための分離チャージャ７５、感光体ドラム７１の残留トナーを除去するためのクリーナ７６、および感光体の残留電位を除去するためのイレーサランプ７７が配置されており、周知の電子写真プロセスによってトナー画像を形成し、用紙上に転写する。用紙は、給紙カセット８１ａまたは８１ｂから給紙ローラ８２ａまたは８２ｂにより、用紙搬送通路８３およびタイミングローラ８４を介して転写チャージャ７４と感光体ドラム７１が対向する位置である転写位置へ搬送される。転写位置でトナー画像が転写された用紙は、搬送ベルト８５、定着器８６、排出ローラ８７を介して、排紙トレイ６２１上へ排出される。排出ローラ８７および感光体ドラム７１は、メインモータ７８によって駆動される。また、給紙カセット８１ａおよび８１ｂの近傍には、各カセットに収容されている用紙の残量を検出するための用紙残量検出センサ８９ａおよび８９ｂが設置されている。
【００３０】
原稿搬送部５００は、原稿給紙トレイ５１０上にセットされた原稿を自動的に原稿ガラス１９上の読取位置に搬送し、走査系１０によって原稿が画像信号に変換された後、原稿を読取位置から原稿排紙部５１１に排出する。
【００３１】
通常は、１枚または複数枚の原稿を、読取るべき面を上に向けて原稿給紙トレイ５１０にセットし、サイド規制板を原稿の幅に合わせる。そして、セットされた原稿の最下部の原稿から順に給紙ローラ５０１によって搬送され、捌きローラ５０２と捌きパッド５０３とによって捌かれながら、１枚ずつ読取位置へ搬送される。搬送された原稿は中間ローラ５０４を通り、レジストセンサ５１２および幅サイズセンサ５１３により原稿が検出された後、レジストローラ５０５によって斜行が補正される。原稿の後端が原稿スケール５２１の左端を通過した直後に、原稿搬送ベルト５０６はわずかに逆転して停止する。
【００３２】
これにより、原稿の右端は原稿スケール５２１の端縁に当接し、原稿は原稿ガラス１９上の読取位置に設置される。このとき、次の原稿の先端はレジストローラ５０５に達しており、次の原稿の搬送時間を短縮するようになっている。
【００３３】
原稿が原稿ガラス１９上の読取位置に設置されると、走査系１０による原稿の読取走査が行なわれる。原稿の読取が終了すると、原稿が原稿搬送ベルト５０６により左方に搬送され、反転ローラ５０７で搬送方向が変更され、切換爪５０８の上方を通過して排紙トレイ５１１上に排出される。
【００３４】
また、両面原稿の場合は、第１面の読取動作が終了するとその原稿は一旦原稿搬送ベルト５０６により左方に搬送され、反転ローラ５０７で原稿の向きを一旦反転した後、再び原稿が原稿ガラス１９上に送り出されるように切換爪５０８の左端部が上方へ移動し、原稿搬送ベルト５０６が反転することにより原稿の第２面（裏面）が読取位置に設定される
。第２面の読取が終了した原稿は、原稿搬送ベルト５０６により左方に搬送され、反転ローラ５０７、切換爪５０８、および排出ローラ５０９を経て排紙トレイ５１１上に排出される。
【００３５】
再給紙ユニット６００は、両面コピーを自動化するための付加装置としてプリント部３の側面に設置されており、排出ローラ８７により複写機１本体から排出された用紙を一旦収納し、スイッチバック搬送を行なってプリント部３に送り返す機能を有している。
【００３６】
片面コピーモードにおいては、用紙は再給紙ユニット６００を素通りして排紙トレイ６２１上に排出される。これに対して、両面コピーモードにおいては、図示しないソレノイドによって切換爪６０１の左端部が上方へ移動し、排出ローラ８７から排出された用紙は、搬送ローラ６０２を通って正反転ローラ６０３に到達する。用紙後端が用紙センサ６０４に到達すると、正反転ローラ６０３が反転を開始する。これによって、用紙は、プリント部３へ戻される。戻された用紙は、水平搬送ローラ８８ａ，８８ｂ、および８８ｃを通ってタイミングローラ８４へ搬送されて待機する。ここで、複数枚の用紙が連続給紙された場合は、各用紙が互いに重ならないような所定の用紙間隔を設けて、次々に搬送されて再給紙ユニット６００に送り込まれる。用紙の搬送経路長は一定であるので、再給紙ユニット６００および水平搬送ローラ８８ａ〜８８ｃによる１循環の用紙枚数（最多循環枚数）は、用紙サイズに依存することになる。
【００３７】
また、複写機１にはネットワーク接続部９０が設けられ、これによりネットワークとの間で情報の授受を行なうことが可能である。
【００３８】
複写機１は、原稿の読取条件（読取られる状態）または複写設定をコピーの許可条件とし、コピー時の原稿の読取条件などが設定された許可条件と一致した場合にのみ、コピーを許可する。すなわち、原稿の読取条件などがセキュリティ情報とされる。
【００３９】
図２は、図１のデジタル複写機１に接続されるＰＣ（Personal Computer）のハードウ
ェア構成を示すブロック図である。
【００４０】
図を参照して、ＰＣは、装置全体の制御を行なうＣＰＵ１０１と、ディスプレイ１０５と、ネットワークに接続したり外部と通信を行なうためのＬＡＮ（ローカルエリアネットワーク）カード１０７（またはモデムカード）と、キーボードやマウスなどにより構成される入力装置１０９と、フレキシブルディスクドライブ１１１と、ＣＤ−ＲＯＭドライブ１１３と、ハードディスクドライブ１１５と、ＲＡＭ１１７と、ＲＯＭ１１９とを備えている。
【００４１】
フレキシブルディスクドライブ１１１により、フレキシブルディスクＦに記録されたプログラムなどのデータを読取ることが可能であり、ＣＤ−ＲＯＭドライブ１１３により、ＣＤ−ＲＯＭ１１３ａに記録されたプログラムなどのデータを読取ることが可能である。
【００４２】
図３は、複写機１の有するセキュリティ機能を説明するための図である。
本実施の形態においては、セキュリティ機能を実現するために、地紋パターン付きの画像を用紙にプリントする処理と、それをスキャナで読込む処理とが実行される。
【００４３】
処理の概要としては、ステップＳ１０１においてセキュリティ情報を生成し、ステップＳ１０３においてプリントの対象となる画像データとセキュリティ情報を合成する。ステップＳ１０５においてセキュリティ情報付きプリントデータが得られ、それに基づいてプリントが行なわれることでプリント物が得られる。このステップＳ１０１〜Ｓ１０５の処理が、セキュリティ情報付き原稿を作成する処理に該当する。ステップＳ１０７以降は、
ステップＳ１０１〜Ｓ１０５で作成された原稿をコピーする時に行なわれる処理を示している。
【００４４】
また、ステップＳ１０７において、ステップＳ１０５で得られたプリント物のスキャンが行なわれることでセキュリティ情報付き画像の読込みが行なわれる。ステップＳ１０９において、セキュリティ情報が画像から抽出され、ステップＳ１１１においてセキュリティ情報に基づくＭＦＰの動作の制限が行なわれる。
【００４５】
より詳しくは、図３の右に示されるようにプリントすべき元の画像データがＤ１であったとすると、ステップＳ２０１で、埋め込む情報が入力される。ここでは、「コピー禁止」の情報と、コピーを許可する条件である許可条件が埋め込まれるものとする。ステップＳ２０３において、それらの埋め込まれる情報がコード化される。ステップＳ２０５において、コード化された情報が地紋のパターンとされることで、ドットによるセキュリティ情報が生成される。
【００４６】
ステップＳ２０７において、画像データＤ１とステップＳ２０５で生成されたパターンとが合成され、これによりセキュリティ情報付きプリントデータＤ２が得られる。ステップＳ２０９において、セキュリティ情報付きプリントデータＤ２が用紙にプリントされる。なお、ドットとして埋め込まれた情報が示す内容は、肉眼では認識することができない。
【００４７】
ステップＳ２５１において、上記セキュリティ情報付きプリントデータＤ２がプリントされた用紙がスキャンされると、その画像データが得られる。ステップＳ２５３において、画像データから地紋パターン（セキュリティパターン）が抽出される。ステップＳ２５５において、地紋パターンからコードが復元され、ステップＳ２５７で情報が解析される。
【００４８】
ステップＳ２５９で、セキュリティ情報付きプリントデータＤ２がプリントされた用紙の読取条件（スキャン条件）や複写設定が、ステップＳ２０１で入力された許可条件と一致しないときには、コピーが禁止される。逆に、セキュリティ情報付きプリントデータＤ２がプリントされた用紙の読取条件や複写設定が、ステップＳ２０１で入力された許可条件と一致するときには、コピーが許可される。
【００４９】
なお、上述の処理は説明の判りやすさのため連続して記載しているが、原稿作成処理とコピー時の処理が連続して行なわれる必要はない。
【００５０】
図４は、図１のデジタル複写機の機能構成を示すブロック図である。
図を参照してデジタル複写機は、スキャナ２０１（図１における読取部２に相当）と、画像メモリ２０３と、パターン抽出部２０５と、ＣＰＵ２０７と、操作パネル２０９と、情報メモリ２１１と、パターン変換部２１３と、画像編集部２１５と、パターン合成部２１７と、画像出力部２１９（図１におけるプリント部３に相当）とを備える。
【００５１】
以下、セキュリティ情報付き原稿のスキャン時の動作とプリント時の動作とについて説明する。
【００５２】
＜スキャン動作＞
操作パネル２０９は、原稿の読取条件を設定したり複写設定を行なう。スキャナ２０１は、原稿を読取りそれを画像データに変換する。画像メモリ２０３は、その画像データを格納する。パターン抽出部２０５は、画像データから地紋パターンを抽出する。ＣＰＵ２０７は、地紋パターンを分析し、それからセキュリティ情報を抽出する。
【００５３】
また、ＣＰＵ２０７は、セキュリティ情報抽出結果と、操作パネル２０９などにより設定された読取条件などを比較し、コピーの許可／禁止を制御する。
【００５４】
＜プリント動作＞
画像メモリ２０３は、プリントアウトされる画像データを格納する。コピーの場合には、スキャナ２０１からの画像データが格納され、ＰＣプリントの場合にはＰＣから送信されたプリントデータが格納される。
【００５５】
情報メモリ２１１は、原稿に埋め込むセキュリティ情報を格納する。コピー禁止情報やコピー許可条件情報等がそれにあたる。ＣＰＵ２０７は、画像メモリ２０３および情報メモリ２１１の制御を行なう。画像編集部２１５は、必要であれば画像データの編集を行なう。
【００５６】
パターン変換部２１３は、情報メモリ２１１内のデータを地紋パターンに変換する。パターン合成部２１７は、画像データと地紋パターンとを合成する。画像出力部２１９は、合成後のデータをプリントアウトする。
【００５７】
以下、図５の構成を用いて情報の埋め込み動作について説明する。
図５は、図２のＰＣおよび画像形成装置の構成を示す図である。
【００５８】
図を参照して画像形成装置は、ＰＣ１００と、スキャナ３０１と、画像メモリ３０３と、ＣＰＵ３０７と、キーや液晶表示装置などにより構成される許可条件設定部３０９と、パターン変換部３１３と、パターン合成部３１７と、画像出力部３１９とを備える。
【００５９】
ＰＣ１００以外の機能は、プリンタやＭＦＰなどにより構成することが可能である。
ＰＣ１００は、ＰＣプリント時に画像データを画像メモリ３０３に出力する。スキャナ３０１は、コピー時に原稿画像を読込んで画像データを画像メモリ３０３に出力する。画像メモリ３０３は、画像データを格納し、ＣＰＵ３０７の制御に従い画像データをパターン合成部３１７に出力する。許可条件設定部３０９は、コピー許可条件を設定する。
【００６０】
パターン変換部３１３は、コピー禁止の情報や許可条件の設定を地紋パターンに変換し、ＣＰＵ３０７の制御に従い地紋パターンをパターン合成部３１７に出力する。パターン合成部３１７は、画像データと地紋パターンを合成する。画像出力部３１９は、合成されたデータをプリントアウトする。
【００６１】
次に、セキュリティ情報の埋め込み技術の概要を説明する。
図６は、許可条件と地紋パターンとして埋め込まれる情報との関係を示す図である。
【００６２】
原稿の向きが許可条件とされる場合は、地紋パターンとしてコピーを許可する条件である原稿の向きが埋め込まれる。
【００６３】
原稿置き位置が許可条件とされる場合は、地紋パターンとしてコピーを許可する条件である原稿置き位置が埋め込まれる。
【００６４】
原稿読取情報が許可条件とされる場合は、地紋パターンとしてコピーを許可する条件である、原稿の読取方法がＡＤＦ（Automatic Document Feeder）を用いた読取であるか手
置きでの読取であるかが埋め込まれる。
【００６５】
ページ順が許可条件とされる場合は、地紋パターンとしてコピーを許可する条件である
原稿のページ順と、各ページ毎にページ番号が埋め込まれる。
【００６６】
原稿向きの組合せが許可条件とされる場合は、地紋パターンとしてコピーを許可する条件である各ページ毎の原稿向きと、各ページ毎にページ番号が埋め込まれる。
【００６７】
画像編集条件が許可条件とされる場合は、地紋パターンとしてコピーを許可する条件である画像編集条件（倍率、２ｉｎ１、色彩、濃度等）が埋め込まれる。
【００６８】
図７〜９は、地紋パターンを構成する埋め込みパターンの最小単位を示す図である。
埋め込みパターンは図７〜９の３種類のビットセルからなり、それぞれがＢｉｔ０、Ｂｉｔ１、特殊Ｂｉｔ（ＴｏｐＢｉｔ）を示している。
【００６９】
Ｂｉｔ０、Ｂｉｔ１は情報Ｂｉｔであり、ＴｏｐＢｉｔは情報Ｂｉｔが集合したブロックを検出するための位置決め用として使用される。
【００７０】
１４×１４個のビットセルによって「ブロックセル」が構成される。ブロックセルによって、埋め込み情報であるコード化された許可条件などが記述される。プリントアウト時には、ブロックセルが繰返してプリントされる。
【００７１】
次に、地紋パターン抽出技術の概要を説明する。地紋パターン抽出は、下記の５つの処理に分類できる。
【００７２】
（１）  ドット検出
（２）  傾き検出
（３）  方向検出
（４）  Ｂｉｔ判定
（５）  情報抽出
以下において、それぞれの処理を説明する。
【００７３】
図１０は、ドット検出処理を示す図である。
ドット検出においては、元画像に対し、ＭＡＸフィルタ（注目画素とその周りを含めた９個の点の中で最も値の大きなものを出力するフィルタ）とＭＩＮフィルタ（注目画素とその周りを含めた９個の点の中で最も値の小さなものを出力するフィルタ）を順番にかけることにより、ドットのみを除去する。その画像と元画像との差分により、ドットのみを検出する事ができる。
【００７４】
図１１は、傾き検出処理を示す図である。
原稿は常に一定の角度に読取られるとは限らないため、セキュリティ情報を正確に検出するためには、原稿の傾きを検出する必要がある。
【００７５】
ドット検出処理で検出されたドット画像はビットセルで構成されるため、ビットセルのドット間隔の成分を多く持つ。そこで、図１１のように、ビットセルのドット間隔を持つフィルタを少しずつ傾けたものを並列に設置し、検出度数の最も多い傾きを読取原稿の傾きとして検出する。
【００７６】
図１２は、方向検出処理を示す図である。
上記傾き検出処理では、９０度以下の傾きは検出できるが、方向性（０度／９０度／１８０度／２７０度）は検出できない。そこで、ビットセルのドットの偏りから方向を判別するため、図１２のようなフィルタを用いる。
【００７７】
図１３は、Ｂｉｔ判定処理を示す図である。
検出した方向に対して、図１３のようなフィルタ処理を行なう事で、Ｂｉｔ情報を抽出する。抽出されたＢｉｔ情報を基に、セキュリティ情報の抽出処理が行なわれる。
【００７８】
本実施の形態においては、画像にセキュリティ情報として「原稿横置きでのみコピー許可」との情報を埋め込むものとする。その原稿をコピーするときには、横置きにしないと（横置きで画像を読取らないと）コピーできない。
【００７９】
図１４および図１５は、原稿ガラス１９の平面図であり、図１４は原稿が縦置きの状態を示す図であり、図１５は原稿が横置きの状態を示す図である。
【００８０】
図中、ハッチングで示される部分が原稿である。縦置きとは原稿の長辺がユーザから見て縦方向にセットされる状態を示し（図１４）、横置きとは原稿の長辺がユーザから見て横方向にセットされる状態を示す（図１５）。
【００８１】
図１６は、第１の実施の形態における画像形成装置の実行する処理を示すフローチャートである。
【００８２】
図を参照して、ステップＳ３０１において、コピー禁止の情報と、許可条件である「原稿横置きでのみコピー許可」という情報とを埋め込み情報（セキュリティ情報）として設定し、ステップＳ３０３でその情報に基づいてプリントアウトを行なう。
【００８３】
ステップＳ３０５で、ステップＳ３０３でプリントされた原稿の読込みを行なう。このとき、ステップＳ３０７で埋め込まれた地紋パターンの情報を抽出し、ステップＳ３０９で原稿読込みの向きを検出する。
【００８４】
ステップＳ３１１において、コピー禁止の情報が埋め込まれていたかを判定し、ＹＥＳであればステップＳ３１３で原稿が横置きであるかを判定する。ステップＳ３１３でＮＯであれば、ステップＳ３１７でコピーを禁止する。ステップＳ３１１でＮＯ、またはステップＳ３１３でＹＥＳであれば、つまり、原稿の載置された向きが許可条件を満たす場合、ステップＳ３１５でコピーを許可する。
【００８５】
なお、これらの処理は説明の判りやすさのため連続して記載しているが、原稿作成処理（ステップＳ３０１，Ｓ３０３）とコピー時の処理（ステップＳ３０５〜Ｓ３１７）が連続して行なわれる必要はない。
【００８６】
以上のように本実施の形態によると、コピーにおいて原稿の読取条件がパスワードの代わりとなるため、ユーザに煩わしいパスワードのキー入力などを要求することなく、特定者にのみコピーを許可することができる。これにより、セキュリティ機能を維持することができる。
【００８７】
［第２の実施の形態］
本発明の第２の実施の形態における画像形成装置の構成は、第１の実施の形態におけるそれと同じであるため、ここでの説明を繰返さない。
【００８８】
本実施の形態においても、原稿の読取条件をパスワード代わりに使用する。たとえば、１０ページの文書のコピーを作成する場合に、セキュリティ情報として「９ページ目と１０ページ目の原稿順を入換えた場合にのみコピー許可」との情報を埋め込む。その原稿をコピーするときには、図１７のように９ページ目と１０ページ目の原稿を入換えないとコピーできない。
【００８９】
図１８は、第２の実施の形態における画像形成装置の実行する処理を示すフローチャートである。
【００９０】
図を参照して、ステップＳ４０１において、コピー禁止の情報と、許可条件である「９ページと１０ページの原稿順が逆」という情報と、各画像に対してページ番号の情報とを埋め込み情報として設定し、ステップＳ４０３でその情報に基づいてプリントアウトを行なう。
【００９１】
ステップＳ４０５で、ステップＳ４０３でプリントされた原稿の読込みを行なう。このとき、ステップＳ４０７で埋め込まれた地紋パターンの情報を抽出する。
【００９２】
ステップＳ４０９において、コピー禁止の情報が埋め込まれていたかを判定し、ＹＥＳであればステップＳ４１１で、原稿の読取ページが９ページまたは１０ページであるかを判定する。ＮＯであれば原稿の読取ページが原稿に埋め込まれたページ情報の数と等しいかを判定する。ステップＳ４１３でＹＥＳであれば、ステップＳ４１５へ進む。
【００９３】
また、ステップＳ４１１でＹＥＳであればステップＳ４１９で９ページと１０ページの原稿が入れ替わっているかを判定し、ＮＯであればステップＳ４２１でコピーを禁止し、ＹＥＳであれば、つまり９ページ目と１０ページ目の原稿が入れ替わっていた場合、ステップＳ４１５へ進む。
【００９４】
ステップＳ４１３でＮＯであれば、ステップＳ４２１へ進む。
ステップＳ４１５でＮＯであれば、ステップＳ４１１に戻り、次の読取ページの処理を行なう。また、ステップＳ４１５で全ページを読取ったかを判定しＹＥＳであれば、１０ページのうち９ページと１０ページのみが入れ替わっていることを示すため、ステップＳ４１７でコピーを許可する。ステップＳ４０９でＮＯであれば、ステップＳ４１７へ進む。
【００９５】
以上の処理により、本実施の形態においては、コピーにおいて原稿の読取条件である原稿の順序がパスワードの代わりとなる。このため、ユーザに煩わしいパスワードのキー入力などを要求することなく、特定者にのみコピーを許可することができ、セキュリティ機能を維持することができる。
【００９６】
［第３の実施の形態］
本発明の第３の実施の形態における画像形成装置の構成は、第１の実施の形態におけるそれと同じであるため、ここでの説明を繰返さない。
【００９７】
本実施の形態においても、原稿の読取条件をパスワード代わりに使用する。たとえば、１０ページの文書のコピーを作成する場合に、セキュリティ情報として「５ページ目と１０ページ目が横向きである場合にのみコピー許可」との情報を埋め込む。その原稿をコピーするときには、図１９のように５ページ目と１０ページ目の原稿を横向きにしないとコピーできない。
【００９８】
なお、ここで「横向き」とは、図１５に示されるように原稿がセットされることを示す。
【００９９】
図２０は、第３の実施の形態における画像形成装置の実行する処理を示すフローチャートである。
【０１００】
図を参照して、ステップＳ５０１において、コピー禁止の情報と、許可条件である「５ページと１０ページの原稿が横向き」という情報と、各画像に対してページ番号の情報とを埋め込み情報として設定し、ステップＳ５０３でその情報に基づいてプリントアウトを行なう。
【０１０１】
ステップＳ５０５で、ステップＳ５０３でプリントされた原稿の読込みを行なう。このとき、ステップＳ５０７で埋め込まれた地紋パターンの情報を抽出する。また、ステップＳ５０９で原稿の向きの情報を検出する。
【０１０２】
ステップＳ５１１において、コピー禁止の情報が埋め込まれていたかを判定し、ＹＥＳであればステップＳ５１３で、原稿の読取ページが５ページまたは１０ページであるかを判定する。ＮＯであればステップＳ５１５で、原稿の向きが縦向きであるかを判定する。ステップＳ５１５でＹＥＳであれば、ステップＳ５１７へ進む。
【０１０３】
また、ステップＳ５１３でＹＥＳであればステップＳ５２１で原稿が横向きかを判定し、ＮＯであればステップＳ５２３でコピーを禁止し、ＹＥＳであればステップＳ５１７へ進む。
【０１０４】
ステップＳ５１７でＮＯであれば、ステップＳ５１３に戻り、次の読取ページの処理を行なう。ステップＳ５１７において全てのページの処理が終了したかを判定し、ＹＥＳであれば、１０ページのうち５ページと１０ページのみが横向きであることを示すため、ステップＳ５１９でコピーを許可する。ステップＳ５１１でＮＯであれば、ステップＳ５１９へ進む。
【０１０５】
ステップＳ５１５でＮＯであれば、ステップＳ５２３へ進む。
以上の処理により、本実施の形態においては、コピーにおいて原稿の読取条件である原稿のページと向き（原稿の向きの組合せ）がパスワードの代わりとなる。このため、ユーザに煩わしいパスワードのキー入力などを要求することなく、特定者にのみコピーを許可することができ、セキュリティ機能を維持することができる。
【０１０６】
［第４の実施の形態］
本発明の第４の実施の形態における画像形成装置の構成は、第１の実施の形態におけるそれと同じであるため、ここでの説明を繰返さない。
【０１０７】
本実施の形態においては、原稿のコピー条件（複写設定）をパスワード代わりに使用する。たとえば、文書のコピーを作成する場合に、セキュリティ情報として「設定倍率が０．５倍である場合にのみコピー許可」との情報を埋め込む。その原稿をコピーするときには、複写の倍率を０．５倍に設定しないとコピーできない。
【０１０８】
図２１は、第４の実施の形態における画像形成装置の実行する処理を示すフローチャートである。
【０１０９】
図を参照して、ステップＳ６０１において、コピー禁止の情報と、許可条件である「倍率設定が０．５倍であること」という情報を埋め込み情報として設定し、ステップＳ６０３でその情報に基づいてプリントアウトを行なう。
【０１１０】
ステップＳ６０５で、ステップＳ６０３でプリントされた原稿の読込みを行なう。このとき、ステップＳ６０７で埋め込まれた地紋パターンの情報を抽出する。
【０１１１】
ステップＳ６０９において、コピー禁止の情報が埋め込まれていたかを判定し、ＹＥＳ
であればステップＳ６１１で、設定された倍率が０．５倍であるかを判定する。ＹＥＳであればステップＳ６１３でコピーを許可する。このとき、０．５倍という設定はパスワードに代わる入力であるため、実際に画像を０．５倍する処理は行なわない（倍率の設定を無視する）。
【０１１２】
また、ステップＳ６１１でＮＯであれば、ステップＳ６１５でコピーを禁止する。
ステップＳ６０９でＮＯであれば、ステップＳ６１７で、設定されたとおりに０．５倍の画像の変倍を行ない、ステップＳ６１３へ進む。
【０１１３】
以上の処理により、本実施の形態においては、原稿のコピー条件がパスワードの代わりとなる。このため、特定者にのみコピーを許可することができ、セキュリティ機能を維持することができる。
【０１１４】
［その他］
なお、第１〜第３の実施の形態において原稿の向きやページの順を特定の状態にした場合にのみコピーを許可することとしたが、コピー時には原稿の向きやページ順を元の状態に変更するようにしてもよい。すなわち、図１７のようにセットされた原稿をプリントする時には、９ページ目と１０ページ目とを入れ替えてプリントすることで本来の順にプリントするものである。また、図１９のようにセットされた原稿をプリントする時には、５ページ目と１０ページ目との向きを変更して、本来の形体でプリントするものである。
【０１１５】
また、原稿の読取条件として、原稿の向き（縦か横か）を例に挙げたが、原稿の位置（中央基準か端基準か）、原稿読取方法（手置きかＡＤＦを用いたか）などを原稿の読取条件としてパスワードの代わりとしてもよい。
【０１１６】
また、コピー条件（画像編集条件）としては、倍率設定を例に挙げたが、濃度設定、色彩設定、２ＩＮ１設定、ステープルの設定、パンチの設定など、原稿と出力の形状を替えるものであれば、コピー条件に用いることができる。
【０１１７】
さらに、上記実施の形態ではコピーの許可条件を画像に埋め込み、これに基づきコピーの制御を行なうこととしたが、これに代えて画像形成装置の特定の機能を制御するための条件を埋め込み、それに基づいて装置の制御を行なうようにしてもよい。たとえば、画像の読込みやデータ出力などを、許可条件が満たされたときのみ実行するなどである。
【０１１８】
なお、上述の実施の形態における処理は、ソフトウエアにより行なってもよいし、ハードウエア回路を用いて行なってもよい。
【０１１９】
また、コピーの許可条件は画像に埋め込むこととしたが、これに代えて画像処理装置内で保持するようにしてもよい。
【０１２０】
また、上述の実施の形態におけるフローチャートの処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【０１２１】
また、本発明はネットワークに接続されたシステムにおいても、ネットワーク環境に接続されていないシステムにも適用することができる。
【０１２２】
今回開示された実施の形態はすべての点で例示であって制限的なものではないと考えら
れるべきである。本発明の範囲は上記した説明ではなくて特許請求の範囲によって示され、特許請求の範囲と均等の意味および範囲内でのすべての変更が含まれることが意図される。
【図面の簡単な説明】
【０１２３】
【図１】本発明の第１の実施の形態におけるデジタル複写機（ＭＦＰ）の全体構成を示す図である。
【図２】図１のデジタル複写機１に接続されるＰＣ（Personal Computer）のハードウェア構成を示すブロック図である。
【図３】複写機１の有するセキュリティ機能を説明するための図である。
【図４】図１のデジタル複写機の機能構成を示すブロック図である。
【図５】図２のＰＣを用いた画像形成装置の構成を示す図である。
【図６】許可条件とパターンとして埋め込まれる情報との関係を示す図である。
【図７】地紋パターンを構成する埋め込みパターンの最小単位を示す図である。
【図８】地紋パターンを構成する埋め込みパターンの最小単位を示す図である。
【図９】地紋パターンを構成する埋め込みパターンの最小単位を示す図である。
【図１０】ドット検出処理を示す図である。
【図１１】傾き検出処理を示す図である。
【図１２】方向検出処理を示す図である。
【図１３】Ｂｉｔ判定処理を示す図である。
【図１４】原稿が縦置きの状態を示す図である。
【図１５】原稿が横置きの状態を示す図である。
【図１６】第１の実施の形態における画像形成装置の実行する処理を示すフローチャートである。
【図１７】第２の実施の形態における画像形成装置の動作を説明するための図である。
【図１８】第２の実施の形態における画像形成装置の実行する処理を示すフローチャートである。
【図１９】第３の実施の形態における画像形成装置の動作を説明するための図である。
【図２０】第３の実施の形態における画像形成装置の実行する処理を示すフローチャートである。
【図２１】第４の実施の形態における画像形成装置の実行する処理を示すフローチャートである。
【符号の説明】
【０１２４】
２０１  スキャナ、２０３  画像メモリ、２０５  パターン抽出部、２０９  操作パネル、２１１  情報メモリ、２１３  パターン変換部、２１５  画像編集部、２１７  パターン合成部、２１９  画像出力部、３０１  スキャナ、３０３  画像メモリ、３０９  許可条件設定部、３１３  パターン変換部、３１７  パターン合成部、３１９  画像出力部、Ｄ１  画像データ、Ｄ２  プリントデータ。
【図１】
2008206196.tif 000003
【図２】
2008206196.tif 000004
【図３】
2008206196.tif 000005
【図４】
2008206196.tif 000006
【図５】
2008206196.tif 000007
【図６】
2008206196.tif 000008
【図７】
2008206196.tif 000009
【図８】
2008206196.tif 000010
【図９】
2008206196.tif 000011
【図１０】
2008206196.tif 000012
【図１１】
2008206196.tif 000013
【図１２】
2008206196.tif 000014
【図１３】
2008206196.tif 000015
【図１４】
2008206196.tif 000016
【図１５】
2008206196.tif 000017
【図１６】
2008206196.tif 000018
【図１７】
2008206196.tif 000019
【図１８】
2008206196.tif 000020
【図１９】
2008206196.tif 000021
【図２０】
2008206196.tif 000022
【図２１】
2008206196.tif 000023